(57)【要約】【課題】ストリップライン同士を電磁結合させる必要がなく、薄型、小型化が容易なストリップラインフィルタを提供する。【解決手段】ストリップラインフィルタ８１は、直線形状の線路長の短いストリップライン導体８２と、蛇行形状の線路長の長いストリップライン導体８３とを電気的に並列に接続することにより構成されている。回路基板８５の下面には広面積のグランド導体８４が形成されている。ストリップライン導体８２，８３とグランド導体８４は、回路基板８５を間に挟んでマイクロストリップ構造を構成している。【選択図】  図１１
2004180126.tif 000002
【特許請求の範囲】
【請求項１】
線路長の異なる少なくとも二つのストリップラインを電気的に並列に接続して構成したことを特徴とするストリップラインフィルタ。
【請求項２】
線路長の異なる少なくとも二つのストリップラインを電気的に並列に接続するとともに、前記二つのストリップラインに電気的に直列にコンデンサを接続したことを特徴とするストリップラインフィルタ。
【請求項３】
請求項１または請求項２に記載のストリップラインフィルタを電気的に複数段直列に接続したことを特徴とするストリップラインフィルタ。
【請求項４】
並列に接続された前記少なくとも二つのストリップライン間にグランドが配置されていることを特徴とする請求項１〜請求項３のいずれかに記載のストリップラインフィルタ。
【請求項５】
グランド導体と複数のストリップライン導体と複数の絶縁層とを積み重ねて積層体を構成し、複数の前記ストリップライン導体にて線路長の異なる少なくとも二つのストリップラインを前記積層体内に形成し、少なくとも二つの前記ストリップラインを電気的に並列に接続したことを特徴とするストリップラインフィルタ。
【請求項６】
線路長の異なる少なくとも二つの前記ストリップラインが前記積層体内の異なる層に配置していることを特徴とする請求項５に記載のストリップラインフィルタ。
【請求項７】
前記グランド導体を間にして、線路長の異なる少なくとも二つの前記ストリップラインが前記積層体内の異なる層に配置していることを特徴とする請求項５に記載のストリップラインフィルタ。
【請求項８】
互いに位相の周期が異なる少なくとも二つのストリップラインを電気的に並列に接続し、前記ストリップライン同士の位相差が１８０度になる周波数と前記ストリップライン同士の位相が正負逆位相になる周波数とにおいて減衰極が形成され、前記ストリップライン同士の位相差が０度になる周波数において通過帯が形成されていることを特徴とするストリップラインフィルタ。
【発明の詳細な説明】
【０００１】
【発明の属する技術分野】
本発明はストリップラインフィルタに関する。
【０００２】
【従来の技術】
従来より、マイクロ波などの高周波領域で用いられる受動タイプのフィルタとしては、誘電体共振器を用いたもの、表面弾性波素子を用いたもの、積層型ＬＣ共振器を用いたもの、ストリップラインを用いたものなどが知られている。
【０００３】
この中でストリップラインを用いたフィルタは一般に、図１７に示すように誘電体基板上にストリップライン２，３をλ／４の長さだけ近接配置して電磁結合させ、その波長λに相当する周波数でフィルタ特性を得ている（非特許文献１参照）。このλ／４ストリップライン２，３はそれぞれ一端が開放され、他端が入出力外部電極４，５に電気的に接続されている。図１８は、ストリップラインフィルタ１の通過（Ｓ２１）特性および入力反射（Ｓ１１）特性を示すグラフである。
【０００４】
【非特許文献１】
小西良弘著「マイクロ波回路の基礎とその応用」結合電子出版、ｐ．３０２
【０００５】
【発明が解決しようとする課題】
しかしながら、従来の構成のストリップラインフィルタ１は、ストリップライン２，３の電磁結合にλ／４の長さを必要とするため、小型化が困難であった。従って、このストリップラインフィルタ１は波長の短い数十ＧＨｚ帯でしか実用化されていない。また、フィルタ特性上からも、図１８に示すように、一段では急峻な減衰カーブが得られないため、複数段直列に接続する必要がある。また、電磁結合を利用するため、結合損失が発生するという問題もある。
【０００６】
さらに、従来のストリップラインフィルタ１は、ほとんどの場合、特性インピーダンスが５０Ωのストリップライン２，３を必要とする。そのため、誘電体基板の誘電率εや基板厚みによってストリップライン２，３のパターン幅が決められてしまい、太線パターンの使用により小型化ができなかったり、逆に、細線パターンの使用により伝送損失が大きくなったりするということがあった。
【０００７】
そこで、本発明の目的は、ストリップライン同士を電磁結合させる必要がなく、薄型、小型化が容易なストリップラインフィルタを提供することにある。
【０００８】
【課題を解決するための手段および作用】
前記目的を達成するため、本発明に係るストリップラインフィルタは、線路長の異なる少なくとも二つのストリップラインを電気的に並列に接続して構成したことを特徴とする。例えば、積層タイプのストリップラインフィルタは、グランド導体と複数のストリップライン導体と複数の絶縁層とを積み重ねて積層体を構成し、複数のストリップライン導体にて線路長の異なる少なくとも二つのストリップラインを積層体内に形成し、少なくとも二つのストリップラインを電気的に並列に接続している。
【０００９】
線路長の異なる少なくとも二つのストリップラインは、互いに位相の周期が異なっている。ストリップライン同士の位相差が１８０度になる周波数とストリップライン同士の位相が正負逆位相になる周波数とにおいて減衰極が形成される。そして、ストリップライン同士の位相差が０度になる周波数において通過帯が形成される。従って、二つのストリップラインの長さとパターン幅（ストリップラインの特性インピーダンス）との組み合わせを変えることにより、ストリップラインの位相特性が変わり、任意のフィルタ特性が得られる。
【００１０】
また、本発明に係るストリップラインフィルタは、並列に接続された少なくとも二つのストリップライン間にグランドが配置されていることを特徴とする。例えば、積層タイプのストリップラインフィルタの場合、グランド導体を間にして、線路長の異なる少なくとも二つのストリップラインが積層体内の異なる層に配置されている。これにより、ストリップライン同士が電磁結合してしまうのを防止することができる。
【００１１】
また、電気的に並列に接続された二つのストリップラインにコンデンサを電気的に直列に接続することにより、低周波領域の減衰特性が改善される。
【００１２】
さらに、前述のストリップラインフィルタを電気的に複数段直列に接続することにより、より一層急峻な減衰カーブを有するフィルタが実現できる。
【００１３】
【発明の実施の形態】
以下、本発明に係るストリップラインフィルタの実施の形態について添付の図面を参照して説明する。
【００１４】
［基本回路構成および原理、図１〜図１０］
図１は本発明に係るストリップラインフィルタの基本構成を示す回路図である。このストリップラインフィルタ１１は、線路長の異なる二つのストリップライン１２，１３を電気的に並列に接続することにより構成されている。ストリップライン１２，１３のそれぞれの一方の端部は入力外部電極１４に電気的に接続され、他方の端部は出力外部電極１５に電気的に接続されている。ストリップライン１２と１３は電磁結合させる必要はない。また、ストリップライン１２，１３の線路長はλ／４に設定する必要もない。
【００１５】
ここで、ストリップライン１２の線路長を８．３ｍｍ、ストリップライン１３の線路長を５２．３ｍｍ、ストリップライン１２，１３の特性インピーダンスを共に５０Ωに設定する。この場合、ストリップライン１２，１３のそれぞれを流れる信号の位相特性は図２の（Ａ）に示すようなグラフになる。すなわち、線路長の短いストリップライン１２を流れる信号の位相周期は長く（実線１８参照）、線路長の長いストリップライン１３を流れる信号の位相周期は短くなる（実線１９参照）。
【００１６】
図２の（Ｂ）は、ストリップラインフィルタ１１の通過（Ｓ２１）特性および入力反射（Ｓ１１）特性を示すグラフである。入力外部電極１４に入った高周波信号は、二つのストリップライン１２，１３にそれぞれ分波して流れた後、合波して出力外部電極１５から出力される。このとき、図２の（Ａ）のグラフにおいてストリップライン１２と１３の位相差が１８０度となる周波数ｆ１（＝約３．４ＧＨｚ）とｆ２（＝約１０．３ＧＨｚ）で、図２の（Ｂ）に示すように減衰極が発生する。なぜなら、この周波数では、二つのストリップライン１２，１３をそれぞれ高周波信号が流れる間に、ストリップライン１２を流れる高周波信号の位相とストリップライン１３を流れる高周波信号の位相とが１８０度ずれ、合波の際に両方の高周波信号が打ち消し合うからである。
【００１７】
同様に、図２の（Ａ）のグラフにおいてストリップライン１２と１３同士の位相が正負逆位相になる周波数ｆ３（＝約４．８ＧＨｚ）とｆ４（＝約９．８ＧＨｚ）で、図２の（Ｂ）に示すように減衰極が発生する。さらに、図２の（Ａ）のグラフにおいてストリップライン１２と１３の位相差が０度となる周波数ｆ５（＝約６．８ＧＨｚ）を含む近傍で、図２の（Ｂ）に示すように通過帯が形成される。なぜなら、この周波数近傍では、ストリップライン１２を流れる高周波信号とストリップライン１３を流れる高周波信号は、殆ど打ち消し合うことなく合波されるからである。こうして得られたストリップラインフィルタ１１は広帯域の通過帯をもつフィルタとなる。
【００１８】
さて、以上の設定条件のストリップラインフィルタ１１でも、フィルタ機能を有しているが、通過帯域が広くかつ減衰量が少ない。そこで、図１に示した基本構成のストリップラインフィルタ１１において、ストリップライン１２，１３のパターン幅を太くするなどしてストリップライン１２，１３の特性インピーダンスを５０Ωより低い数値（例えば１０〜４０Ω）にする。これにより、特性インピーダンスの容量成分が変化し、ストリップライン１２，１３の位相特性は図３の（Ａ）に示すようなグラフになる（実線１８参照）。この結果、ストリップラインフィルタ１１の通過帯や減衰極の位置を変えることができ、図３の（Ｂ）に示すような通過（Ｓ２１）特性や入力反射（Ｓ１１）特性をもつ狭帯域の片側減衰フィルタが得られる。
【００１９】
次に、図４に示すストリップラインフィルタ２１は、図１に示したストリップラインフィルタの基本構成にコンデンサＣ１，Ｃ２を直列に接続したものである。これにより、直流成分および低周波成分を減衰させて、より急峻な減衰カーブをもつバンドパスフィルタ機能が得られる。図５は、ストリップラインフィルタ２１の通過（Ｓ２１）特性および入力反射（Ｓ１１）特性を示すグラフである（実線Ｓ２１，Ｓ１１参照）。比較のために、図５にはストリップラインフィルタ１１の通過（Ｓ２１’）特性および入力反射（Ｓ１１’）特性も併せて記載している（点線Ｓ２１’，Ｓ１１’参照）。
【００２０】
また、減衰量を改善するためには、図１に示したストリップラインフィルタの基本構成を多段直列に接続するとよい。具体例を図６〜図９に示す。図６のストリップラインフィルタ３１は、図１に示したストリップラインフィルタの基本構成を２段直列に接続したものである。図７〜図９のストリップラインフィルタ４１，５１，６１は、図１に示したストリップラインフィルタの基本構成を２段直列に接続するとともに、コンデンサを直列に接続したものである。減衰極の位置は、ストリップライン１２Ａ，１３Ａ，１２Ｂ，１３Ｂの線路長や特性インピーダンスを変えたり、コンデンサＣ１〜Ｃ３の静電容量を変えたりして調整することができる。
【００２１】
また、図１０のストリップラインフィルタ７１のように、図１に示したストリップラインフィルタの基本構成にバンドパスフィルタ７２をコンデンサＣ１を介して直列に接続しても、減衰量を改善することができる。バンドパスフィルタ７２の代わりに、ローパスフィルタやハイパスフィルタ、あるいは、低域阻止フィルタを用いても同様の効果が得られる。
【００２２】
［第１実施形態、図１１］
図１１に示すストリップラインフィルタ８１は、一般的な回路基板８５の上面に形成されている。このストリップラインフィルタ８１は、直線形状の線路長の短いストリップライン導体８２と、蛇行形状の線路長の長いストリップライン導体８３とを電気的に並列に接続することにより構成されている。回路基板８５の下面には広面積のグランド導体８４が形成されている。ストリップライン導体８２，８３とグランド導体８４は、回路基板８５を間に挟んでマイクロストリップ構造を構成している。なお、回路基板８５には、他の信号パターンや電子部品（インダクタ、コンデンサ、ＩＣなど）が形成されたり、搭載されているが、図示していない。
【００２３】
回路基板８５には、例えばガラス不織布にポリイミド樹脂やエポキシ樹脂を含浸させた基板、あるいは、誘電体材料からなるセラミック基板などが使用される。ストリップライン導体８２，８３やグランド導体８４は、Ｃｕ，Ａｇ，Ａｇ−Ｐｄ，Ａｌなどの導電性ペーストをスクリーン印刷法などの方法により塗布して焼付けることにより形成される。
【００２４】
こうして回路基板８５上に形成されたストリップラインフィルタ８１は、図１に示す基本構成回路を有し、フィルタとして機能する。このストリップラインフィルタ８１において、ストリップライン導体８２，８３の線路長と特性インピーダンスの組み合わせを変える。例えば、ストリップライン導体８２，８３のパターン幅を太くしたり、回路基板８５の板厚を厚くしてグランド導体８４とストリップライン導体８２，８３との距離を離したりして、ストリップライン導体８２，８３の特性インピーダンスを５０Ωより低い数値（１０〜４０Ω）にする。これにより、ストリップラインフィルタ８１の通過帯や減衰極の位置を変えることができ、種々のフィルタ特性を実現することができる。
【００２５】
さらに、ストリップラインフィルタ８１は、ストリップライン導体８２と８３を電磁結合させる必要がなく、また、線路長をλ／４に設定する必要もないので、小型化が容易である。
【００２６】
［第２実施形態、図１２および図１３］
図１２に示すように、ストリップラインフィルタ１０１は、ストリップライン導体１０４，１０５ａ，１０５ｂをそれぞれ表面に形成した絶縁シート１０２と、コンデンサ導体１１０ａ，１１１ａ、１１０ｂ，１１１ｂをそれぞれ表面に形成した絶縁シート１０２と、グランド導体１１５，１１６，１１７をそれぞれ表面に形成した絶縁シート１０２と、予め導体を表面に設けていない保護用絶縁シート１０２などにて構成されている。
【００２７】
直線形状のストリップライン導体１０４は、シート１０２の中央部に配設され、単独で線路長の短いストリップラインを形成している。その両端部はシート１０２の手前側および奥側の辺に露出している。渦巻形状のストリップライン導体１０５ｂは、シート１０２に設けたビアホール１０７を介して直線形状のストリップライン導体１０５ａに電気的に直列に接続され、線路長の長いストリップライン１０５を形成している。このとき、ビアホール１０７を軸方向に延在させ、ビアホール自体をストリップライン１０５の主要な構成部分として利用してもよい。これにより、ストリップラインフィルタ１０１のＱ値をさらに良くすることができる。ストリップライン１０４と１０５は電気的に並列に接続する。
【００２８】
ストリップライン１０４と１０５の間には、グランド導体１１６が配設されている。グランド導体１１６はストリップライン１０４と１０５の間の電磁結合を抑えるので、ストリップライン１０４と１０５の間の距離を接近させることができ、ストリップラインフィルタ１０１を小型にできる。さらに、本第２実施形態では、渦巻形状のストリップライン導体１０５ｂを用いることにより、より一層の小型化を行っている。
【００２９】
さらに、ストリップライン１０４と１０５は、グランド導体１１５，１１７によって上下方向に挟まれ、ストリップライン構造を構成している。ただし、グランド導体１１５，１１７を省略して、マイクロストリップライン構造を構成させるようにしてもよい。
【００３０】
コンデンサ導体１１０ａと１１０ｂは、シート１０２を間に挟んで対向してコンデンサＣ１を形成している。コンデンサ導体１１１ａと１１１ｂはシート１０２を間に挟んで対向してコンデンサＣ２を形成している。
【００３１】
絶縁シート１０２の材料としては、誘電体などのセラミックが使用される。導体１０４〜１１７は、Ａｇ，Ａｇ−Ｐｄ，Ｃｕなどの導電性ペーストを用いて、それぞれシート１０２上に印刷法などの方法にて形成される。
【００３２】
各シート１０２は積み重ねられて一体的に焼成され、図１３に示すような積層体１２０とされる。この積層体１２０の手前側の側面部に入力外部電極１２１，中継外部電極１２３およびダミー外部電極１２５が設けられる。奥側の側面部には、出力外部電極１２２、中継外部電極１２４およびダミー外部電極１２６が設けられる。そして、左右の両端部にはグランド外部電極１２７，１２８が設けられる。
【００３３】
入力外部電極１２１はコンデンサ導体１１０ａの端部に電気的に接続している。出力外部電極１２２はコンデンサ導体１１１ａの端部に電気的に接続している。中継外部電極１２３は、コンデンサ導体１１０ｂの端部およびストリップライン導体１０４，１０５ｂの一方の端部に電気的に接続している。中継外部電極１２４は、コンデンサ導体１１１ｂの端部およびストリップライン導体１０４，１０５ａの他方の端部に電気的に接続している。グランド外部電極１２７，１２８はグランド導体１１５〜１１７の端部に電気的に接続している。ただし、コンデンサ導体１１０ｂ，１１１ｂとストリップライン導体１０４，１０５ｂ，１０５ａとの電気的接続はシート１０２に設けたビアホールを利用して行ってもよい。
【００３４】
こうして得られた積層型ストリップラインフィルタ１０１は、図４に示す回路と同様の等価回路を有し、フィルタとして機能する。このストリップラインフィルタ１０１において、ストリップライン導体１０４，１０５ａ，１０５ｂの線路長と特性インピーダンスの組み合わせを変える。例えば、ストリップライン導体１０４，１０５ａ，１０５ｂのパターン幅を太くしたり、シート１０２の厚みを厚くしてグランド導体１１５〜１１７とストリップライン導体１０４，１０５ａ，１０５ｂとの距離を離したりして、ストリップライン１０４，１０５の特性インピーダンスを５０Ωより低い数値（１０〜４０Ω）にする。これにより、ストリップラインフィルタ１０１の通過帯や減衰極の位置を変えることができ、種々のフィルタ特性を実現することができる。
【００３５】
さらに、ストリップラインフィルタ１０１は、ストリップライン１０４と１０５を電磁結合させる必要がなく、また、線路長をλ／４に設定する必要もないので、小型化が容易である。
【００３６】
［第３実施形態、図１４および図１５］
図１４に示すように、ストリップラインフィルタ１４１は、ストリップライン導体１４４Ａ，１４５Ａ，１４４Ｂ，１４５Ｂおよびコンデンサ導体１４６，１４７を表面に形成した絶縁シート１４２と、コンデンサ導体１４８を表面に形成した絶縁シート１４２と、グランド導体１５０，１５１をそれぞれ表面に形成した絶縁シート１４２と、予め導体を表面に設けていない保護用絶縁シート１４２などにて構成されている。
【００３７】
略直線形状の線路長の短いストリップライン導体１４４Ａと、蛇行形状の線路長の長いストリップライン導体１４５Ａとは、電気的に並列に接続され、シート１４２の左側半分に配設されている。ストリップライン導体１４４Ａ，１４５Ａのそれぞれの一端はシート１４２の手前側の辺に露出し、他端はコンデンサ導体１４６に接続されている。
【００３８】
略直線形状の線路長の短いストリップライン導体１４４Ｂと、蛇行形状の線路長の長いストリップライン導体１４５Ｂとは、電気的に並列に接続され、シート１４２の右側半分に配設されている。ストリップライン導体１４４Ｂ，１４５Ｂのそれぞれの一端はシート１４２の奥側の辺に露出し、他端はコンデンサ導体１４７に接続されている。
【００３９】
コンデンサ導体１４６と１４７はシート１４２を間に挟んでコンデンサ導体１４８と対向し、コンデンサＣ１を形成している。さらに、ストリップライン導体１４４Ａ〜１４５Ｂは、グランド導体１５０，１５１によって上下方向に挟まれ、ストリップライン構造を構成している。
【００４０】
各シート１４２は積み重ねられて一体的に焼成され、図１５に示すような積層体１６０とされる。この積層体１６０の手前側の側面部に入力外部電極１６１およびダミー外部電極１６３，１６４が設けられる。奥側の側面部には、出力外部電極１６２およびダミー外部電極１６５，１６６が設けられる。そして、左右の両端部にはグランド外部電極１６７，１６８が設けられる。
【００４１】
入力外部電極１６１はストリップライン導体１４４Ａ，１４５Ａの一端に電気的に接続している。出力外部電極１６２はストリップライン導体１４４Ｂ，１４５Ｂの一端に電気的に接続している。グランド外部電極１６７，１６８はグランド導体１５０，１５１の端部に電気的に接続している。
【００４２】
こうして得られた積層型ストリップラインフィルタ１４１は、図７に示す回路と同様の等価回路を有し、フィルタとして機能する。このストリップラインフィルタ１４１は、前記第２実施形態のストリップラインフィルタ１０１と同様の作用効果を奏するとともに、ストリップラインフィルタの基本回路を２段直列に接続しているので、より一層急峻な減衰カーブを有するフィルタを実現することができる。また、ストリップライン導体１４４Ａ〜１４５Ｂを同一シート１４２上に形成しているので、ストリップラインフィルタ１４１を低背化できる。
【００４３】
［他の実施形態］
なお、本発明は前記実施形態に限定されるものではなく、その要旨の範囲内で種々に変更することができる。特に、並列に接続するストリップラインの数は任意であり、例えば図１６に示すように、線路長の異なる三つのストリップライン２０２，２０３，２０４を並列に接続して構成したストリップラインフィルタ２０１であってもよい。さらに、図１に示した二つ並列接続ストリップライン１２，１３と三つ並列接続ストリップライン２０２〜２０４を２段直列接続したものであってもよい。
【００４４】
また、前記実施形態は、ストリップラインが形成された絶縁シートを積み重ねた後、一体的に焼成するものであるが、必ずしもこれに限定されない。シートは予め焼成されたものを用いてもよい。、また、以下に説明する製法によってストリップラインフィルタを製作してもよい。印刷などの方法によりペースト状の絶縁材料を塗布して絶縁層を形成した後、その絶縁層の表面にペースト状の導電体材料を塗布して任意の形状のストリップラインを形成する。次に、ペースト状の絶縁材料を前記ストリップラインの上から塗布する。こうして順に重ね塗りすることによって積層構造を有するストリップラインフィルタが得られる。
【００４５】
【発明の効果】
以上の説明から明らかなように、本発明によれば、線路長の異なる少なくとも二つのストリップラインを電気的に並列に接続することにより、フィルタとして機能させることができる。そして、二つのストリップラインの線路長と特性インピーダンスの組み合わせを変えることにより、任意のフィルタ特性を得ることができる。しかも、ストリップラインを電磁結合させる必要がなく、また、線路長をλ／４に設定する必要もないので、低損失で小型のストリップラインフィルタが得られる。
【図面の簡単な説明】
【図１】本発明に係るストリップラインフィルタの基本構成を示す回路図。
【図２】図１に示したストリップラインフィルタの原理を説明するためのグラフであり、（Ａ）は二つのストリップラインのそれぞれの位相特性を示すグラフ、（Ｂ）はストリップラインフィルタの通過（Ｓ２１）特性および入力反射（Ｓ１１）特性を示すグラフ。
【図３】（Ａ）はストリップラインの特性インピーダンスを下げたときの、二つのストリップラインのそれぞれの位相特性を示すグラフ、（Ｂ）はストリップラインフィルタの通過（Ｓ２１）特性および入力反射（Ｓ１１）特性を示すグラフ。
【図４】図１に示したストリップラインフィルタの基本構成にコンデンサを直列に接続した回路図。
【図５】図４に示したストリップラインフィルタの通過（Ｓ２１）特性および入力反射（Ｓ１１）特性を示すグラフ。
【図６】図１に示したストリップラインフィルタの基本構成を２段直列に接続した回路図。
【図７】図６の回路の変形例を示す回路図。
【図８】図６の回路の別の変形例を示す回路図。
【図９】図６の回路のさらに別の変形例を示す回路図。
【図１０】図１に示したストリップラインフィルタの基本構成にバンドパスフィルタを直列に接続した回路図。
【図１１】本発明に係るストリップラインフィルタの一実施形態を示す外観斜視図。
【図１２】本発明に係るストリップラインフィルタの別の実施形態を示す分解斜視図。
【図１３】図１２に示したストリップラインフィルタの外観斜視図。
【図１４】本発明に係るストリップラインフィルタのさらに別の実施形態を示す分解斜視図。
【図１５】図１４に示したストリップラインフィルタの外観斜視図。
【図１６】他の実施形態を示す回路図。
【図１７】従来のストリップラインフィルタの基本構成を示す回路図。
【図１８】図１７に示したストリップラインフィルタの通過（Ｓ２１）特性および入力反射（Ｓ１１）特性を示すグラフ。
【符号の説明】
１１，２１，３１，４１，５１，６１，７１…ストリップラインフィルタ
１２，１３，１２Ａ，１３Ａ，１２Ｂ，１３Ｂ…ストリップライン
８１…ストリップラインフィルタ
８２，８３…ストリップライン導体
８４…グランド導体
８５…回路基板
１０１…ストリップラインフィルタ
１０２…絶縁シート
１０４，１０５…ストリップライン
１１０ａ，１１０ｂ，１１１ａ，１１１ｂ…コンデンサ導体
１２０…積層体
１４１…ストリップラインフィルタ
１４２…絶縁シート
１４４Ａ，１４５Ａ，１４４Ｂ，１４５Ｂ…ストリップライン導体
１４６，１４７，１４８…コンデンサ導体
２０１…ストリップラインフィルタ
２０２，２０３，２０４…ストリップライン
Ｃ１，Ｃ２，Ｃ３…コンデンサ
【図１】
2004180126.tif 000003
【図２】
2004180126.tif 000004
【図３】
2004180126.tif 000005
【図４】
2004180126.tif 000006
【図５】
2004180126.tif 000007
【図６】
2004180126.tif 000008
【図７】
2004180126.tif 000009
【図８】
2004180126.tif 000010
【図９】
2004180126.tif 000011
【図１０】
2004180126.tif 000012
【図１１】
2004180126.tif 000013
【図１２】
2004180126.tif 000014
【図１３】
2004180126.tif 000015
【図１４】
2004180126.tif 000016
【図１５】
2004180126.tif 000017
【図１６】
2004180126.tif 000018
【図１７】
2004180126.tif 000019
【図１８】
2004180126.tif 000020